(57)【要約】【課題】短時間で施工でき、ほぞ部に平均に力のかかる木材のほぞ固定具。【解決手段】ほぞ穴にほぞを嵌入後ドリルで同心穴を形成し、その同心穴にプラスチック製、外面は断続角体と投錨用突起部の当接面積を交互に変えた角体図３，Ｅの当接面積の大きい中間部をほぞ嵌入方向に向け挿入し、釘図４，を嵌入する事によって交互に設けた当接面積の違いで釘の中心線を変え、挿入方向に分離されながら当接面積の大きい２面がてことなって間の当接面積の大きい部分を持ち上げることによって、平均に力が作用する。【選択図】図３
0003098173.tif 000002
【実用新案登録請求の範囲】
【請求項１】
縦横寸法の違う四角柱の金属釘の嵌入で縦長に２分割される、プラスチック製でなる断続角体を縦長に２分割できるように薄肉部を設け、外表面に当接面積を対向する半径方向で異にし交互に当接面積を変え、内部に設けた四角穴の分断面に接する方向は釘のどちらの肉厚寸法より大きく、他方は釘のどちらの肉厚寸法より小さく釘を嵌入して、当接面積の差でほぞ穴内ほぞ嵌入方向下の当接面積を大きくした部分を対向する、両端の当接面積を大きくした部分が土台となってほぞ嵌入方向に押し出すことを特徴とする固定装置。
【請求項２】
前記記載の固定具において、金属四角柱の釘の肉厚２辺の幅を変えて押し広げる効果を、異にして釘の頭はプラスチック製断続角体鍔部より大きくしたことを特徴とする請求項１記載の固定装置。
【考案の詳細な説明】
【０００１】
【従来の技術】本考案は、木材の組み付け方法及びこれに使用する固定具に関し、木材のほぞ穴とほぞの組み合わせに使用する込み栓を容易に固定して、接合力、耐震性を増加する木材の接合方法及び、使用する固定具に関するものである。
【０００２】
【考案が解決しようとする課題】木造建築において、木材同士の接合は各部位により様々な方法が開発されているが、横架材と柱の接合において、図１、に示すように横架材１に柱２を固定するときは、横架材１に角穴６を形成し、柱２の端部に角穴６に入るほぞ７を形成し、それぞれ所定の位置に　丸穴、又は角穴を加工し、穴位置のずれに依って、固定効果の程を計っていた、穴位置は、横架材穴４の位置より、柱５の位置は平均３ｍｍ程度低くして加工し、接合する木材の種類、又は状態によって、それぞれの穴加工位置をずらしていた、例えば、堅い木材や乾燥の進んだ木材は、穴、４，５のずれ幅は小さく、反対に、柔らかい木材や水分の多い木材は、穴、４，５のずれ幅を大きく取り、ほぞの固定力を加減していた、組付けは横架材穴６に、柱の端部に加工したほぞ７を嵌入して、この穴、４，５に、丸棒状又は角棒状に加工した込み栓、図１、３を打ち込み、図１、（Ｂ）に示すように、柱２，を横架材１の方向に引き寄せ固定する事が出来た。又近年、図２に示す様な、簡便なほぞ締結用込み栓が、開発された、（特許第３０４８５６２号参照）。これは横架材にほぞを嵌入させた後、ドリル等で所定の位置に穴加工をして、ほぞをさらに嵌入させるべく、その方向に切断可能な断面円弧の肉厚部を設け、その下部にほぞが嵌入しても障害にならないよう切り欠き部を設け、円筒内部の肉厚部の下部にピンが嵌入すると肉厚部が外部に押されて出る突起が有り、ピンの嵌入とともに肉厚部がほぞ嵌入方向に押され横架材と柱を固定することが出来た。
【０００３】
【考案が解決しようとする課題】しかしながら従来の木質込み栓の装着には、多年の経験と長い時間を要した。
【０００４】
又近年開発された（特許３０４８５６２号）は、図２に於いて説明すると断面円形ピン１１が嵌入され、１番目の当接部肉厚８の傾斜部に当たると、力は第１当接傾斜部端部にかかり、先ず端部が外側に斜めに押されると同時に反対側の端部は本体１０ａに当たり、さらに嵌入を進めると、肉厚部内部の円弧面を外側に押し出すが、この時点で以下の現象が起こる恐れがあった。
（１）樹脂製の本体と、金属製の円形ピンを使用した場合には、嵌入力によって発生する、押し上げ力が、ほぞに使用された木材の堅さとの関係で反対側の端部が当たる本体１０ａ部と波線１２の処いわゆる先端片方の支持部が破損する、又破損までしないでも傾斜部の影響で、傾斜した状態でほぞに作用する可能性がある、肉厚部８の外表面面積と下部突起の高さ選定が困難であり、使用する木材、又はほぞの長さで種種作る必要があった。
（２）金属製の本体と円形ピンを使用した時は、前記（１）説明の嵌入時肉厚部８の端部が横架材１のほぞ穴の側壁、図１ａ部に突き刺さる可能性がある（３）このような状態であるから、ほぞの長さ、木質を勘案しそれぞれに合った、肉厚部８を作らないと、効果的な機能を発揮しない恐れがある。本考案はこのような事情を鑑みてなされたもので、木に平均な力が作用するほぞ固定装置を提供する
【０００５】
【課題を解決するための手段】前記目的を可能にする本考案の接合方法は、横架材１のほぞ穴に柱２の端部に形成されたほぞを嵌入して、嵌入した状態で、横架材とほぞを貫通する丸穴をドリル等で形成し、形成したほぞ穴に、強靱でなをかつ可とう性を有したプラスチック製のほぞを貫通する当接面積の違う８角形の投錨用断続角体と金属製の釘を有し中央より縦長に分断用薄肉で繋がり、ほぞ部の端面の位置に案内位置決め用斜面部を有し、内部に貫通する寸法の異なる四角穴と片方入り口に、縦横の寸法の違う金属製四角柱の釘の挿入方向確認の窓と挿入寸法を決める鍔を有し、前記角体に釘を方向確認し挿入し前記ドリルで形成された穴に挿入し、さらに釘を挿入する、ここでほぞ嵌入方向に位置する前記角体の四角穴は釘の縦横いずれの幅より短くして押し広げる効果を計っている、又釘の直進を妨げる障害物はない。
【０００６】
ここで前記ドリルで形成された穴に釘を装着された前記角体が挿入されさらに釘が進入するとほぞ嵌入方向に対し上下に分断面から押し広げられ横架材部はほぞ嵌入方向とは逆に当接面積を増しほぞ部は嵌入方向に当接面積を増しているので釘の進入につれて断続的に作られた角体が当接面積の耐力に従って上下に食い込みずれることがない又ほぞ部と横架材の境界にまたがる位置に補正案内用斜面を設けているのでほぞ部に平行に作用する、又釘の頭部は角体鍔部より大きく作っている、これは木材の防腐剤に万能に耐えるプラスチックが乏しいから、装着後横架材の表面に出るのは釘の頭だけとするのが好ましい。
【０００７】
【作用】本考案では次のような作用を生じる。可とう性を有した強靱なプラスチック製の投錨用断続角体と各部に当接面積の違いを有した本体はほぞ穴に挿入後金属製の釘の進入により、中央より分離されつつ当接面積の耐力に従って、ほぞ穴の中心線より釘の中心線をずらし乍ら進入しほぞ部を過ぎて最後の当接面積を増した部分に釘が達してから、ほぞ嵌入方向の当接面積を増した部分と両端の当接面積を増した部分にそれぞれ力が直角方向に作用してほぞ部当接面積を増した部分を嵌入方向に平行に押し出す作用がある。
【０００８】又、縦横寸法の違う四角柱の釘を用いることによりほぞを固定する力加減を２種類持つ利便さが有りほぞの長さに依る耐力や木材の堅さの違いにも現場で対応出来る、又８角形とする事でずれを防止して木材の耐力に対して暖衝適役割も期待できる。
【０００９】なを本体は投錨用断続角体を有し四角柱の釘がより寸法の狭い内部四角穴に入ることによって、中央より分離し木材の穴に食い込ませながらの装着であるから釘は抜けにくくより耐震効果が期待できる。
【００１０】
【実施例】以下本考案の実施形態について、添付した図面を参照しつつ詳しく説明する。
【００１１】
本考案の木材の接合方法に用いる固定装置は、投錨用断続角体図３は強靱で可とう性を有したプラスチックと釘図４で構成されている。この固定装置は、横架材１に形成されたほぞ穴６に、柱の端部に形成されたほぞ７を嵌入し、ドリル等で形成された同心穴に挿入し釘を嵌入して、横架材と柱とを固定するものである。
【００１２】
図３（Ｅ）に示すように固定用角体は八角形とし当接面積の大きいＬ１．Ｌ２．Ｌ３の半８角外径、角は前記同心穴の半分の内径円弧に接し図５、（Ｈ）１６，は各８角鍔間の少し低い位置で各鍔間を連鎖し投錨効果を持たせている、これによって表面積が大きくなり力の分散と吸収が出来る対向するＬ４、Ｌ５，Ｌ６の半８角外径は前記同心穴内径図５，（Ｈ）１７、より小さく頂点に前記内径と等しい位置に投錨用半円球の突起１４，を設け当接面積を小さくしている、これによって内接する前記穴に食い込み安くしている対向する半径で当接面積を変える事によって、釘を嵌入した時は前記同心穴の中心線より交互にずれながらほぞ部を通過し最後の当接面積を増した部分に嵌入が始まってから全体に釘と直角方向に力が働き、両端Ｌ１．Ｌ３の部分が土台となってＬ２，を押し上げるＬ２，の両端面境界部図３，１８，に斜面をつけているのでほぞ部よりずれにくくなっている。なおＬ２．はほぞ７の厚みと等しくＬ１、Ｌ４、は横架材の穴４の長さと等く角体縦長中央に釘図４，の嵌入時上下に分断可能な薄肉部図５，（Ｈ）１９を対向する側面にも設けている、成形する金型を考慮して薄肉部を片方だけとし対向する薄肉部を廃しヒンジ効果を持たせても良いこうすると金型作りと成形作業を容易にする。
【００１３】
図７，（Ｌ）は固定用角体端部の釘進入口の断面である、縦横寸法の違う釘をこの四角穴に入れると止まる位置で分断の強弱が判断できる２０、で止まれば大きく押し広げ２１で止まれば小さく押し広げそれをのぞき窓２２で確認して前記同心穴に挿入するなお四角横方向（Ｌ７）は釘縦横どちらの寸法も入るようにしている挿入する方向は左右分断面及び角体外形状で容易に判断できるすなわち力を発揮する方向に中央（Ｌ２）部を向け分断面を直角にする、先ず釘を（Ｌ１，Ｌ４）第１嵌入部に嵌入するすると図５，（Ｉ）の様に（Ｌ１）部の当接面積を増した部分を土台として当接面積の小さい（Ｌ４）部が対向する同心穴の内円弧に圧接され双方が分断されつつ食い込み投錨効果を生みさらに釘を（Ｌ２，Ｌ５）第２嵌入部に嵌入するすると第２嵌入部は第１嵌入部と逆の状態に分断圧接され第３嵌入部（Ｌ３，Ｌ６）の位置に嵌入分断が始まってから（Ｌ１，Ｌ３）が土台となって（Ｌ２）部を平行に押し上げる連鎖された連続角体なので一部のみの突出でなく当接面積により釘の押し上げ力の位置を変えているなをこの時（Ｌ４、Ｌ５，Ｌ６）部は当接面積を小さくしているので前記押し上げる力の妨げにならないこのようにして横架材１，の前記同心穴の図６、２４，２５，の２面が（Ｌ１，Ｌ３）が土台としてほぞ穴を（Ｌ２）部が平行に押しほぞを固定する事が出来る。
【００１４】
このように構成することで短時間で接合材に合った施工が出来る
【００１】
【考案の効果】請求項１記載のほぞ固定装置に於いて固定穴はドリル加工なので短時間に出来き、釘の入れる方向ものぞき窓があるので的確に出来る、又角体の挿入方向も中央当接面積を増した部分を嵌入方向に向け薄肉分段面を直角方向にして挿入すればよいので判りやすい当接面積を変えた断続角体なので釘の嵌入で長手方向中央より分断され木材施工穴内にそれぞれ食い込み抜けにくく、又暖衝適役割も果たしずれることがない、２点の当接面積を増した部分がてこの役割をして他方中央の当接面積を増した部分を持ち上げるので力の効果に無理がなく経時変化しにくい又請求項２記載の固定装置は、四角釘の２辺の寸法を変えているので押し広げる力が２種類有り現場現況での対応が出来る。釘の頭部を角体鍔部より大きくする事で防腐剤による角体の劣化や、火災の損傷を防ぎ固定装着後木材との違和感も少なくすることが出来る。
【図面の簡単な説明】
【図１】（Ａ）、（Ｂ）は従来の接合方法の接合前、接合後の説明図である。
【図２】（Ｃ）、（Ｄ）は従来の接合方法（特許３０４８５６２）のピン嵌入直前と嵌入後の説明図である。
【図３】（Ｅ）、は本考案の正面図、（Ｆ）、（Ｇ）は側面図である。
【図４】は四角釘の各側面図、正面図である。
【図５】（Ｈ）は角体挿入断面図、（Ｉ）は釘挿入後断面図である。
【図６】は本考案の固定装置の装着後の断面図である。
【符号の説明】
１：横架材、２：柱、３：木材込み栓、４：横架材込み栓穴、５：柱込み栓穴
６；横架材ほぞ穴、７：柱ほぞ、８：ピン嵌入前肉厚部、９；ピン嵌入後肉厚部
１０：固定用円筒体、１１：ピン、１２：破損部、１３：円筒体穴、１４：突起
１５：低い半８角形、１６：穴に内接する半８角形、１７：木材同心穴、
１８：斜面部、１９：分断部、２０：角穴、２１：角穴、２２：のぞき窓、
【図１】
0003098173.tif 000003
【図２】
0003098173.tif 000004
【図３】
0003098173.tif 000005
【図４】
0003098173.tif 000006
【図５】
0003098173.tif 000007
【図６】
0003098173.tif 000008
【図７】
0003098173.tif 000009
【手続補正書】
【提出日】平成15年7月17日(2003.7.17)
【手続補正１】
【補正対象書類名】明細書
【補正対象項目名】図７
【補正方法】追加
【補正の内容】
【図７】（Ｋ）は本考案の側面四角穴の拡大図、（Ｌ）は正面四角穴の入り口部分の拡大図である。